(57)【要約】【課題】複数の記録媒体の容量を効率的に使用する。【解決手段】本発明に係る映像記録装置は、映像信号が圧縮された圧縮データを分割して複数の記録媒体１２１、１２２及び１２３に記録する映像記録装置１００であって、記録媒体１２１、１２２及び１２３の最大記録速度及び記録可能容量を取得する記録媒体情報取得部１３１と、圧縮レートを取得する入力情報取得部１３３と、複数の記録媒体１２１、１２２及び１２３のうち、記録可能容量が大きい方から記録媒体を選択する選択部１３４と、選択部１３４により選択された記録媒体への記録速度の和が、圧縮レートより大きくなるように、選択部１３４により選択された記録媒体への記録速度を算出する算出部１３５と、選択部１３４により選択された記録媒体に、算出部１３５により算出された記録速度で、圧縮データを並列に記録する記録部１３６とを備える。【選択図】図１
2008294764.tif 000002
【特許請求の範囲】
【請求項１】
映像信号が圧縮された圧縮データを分割して複数の記録媒体に記録する映像記録装置であって、
前記各記録媒体に記録可能な速度の最大値である最大記録速度と、前記各記録媒体に記録可能なデータ量である記録可能容量とを取得する第１取得手段と、
前記圧縮データの圧縮レートを取得する第２取得手段と、
選択する２以上の記録媒体の前記最大記録速度の和が前記圧縮レートより大きくなるように、前記複数の記録媒体のうち、前記記録可能容量が大きい方から２以上の記録媒体を選択する第１選択手段と、
前記第１選択手段により選択された２以上の記録媒体への記録速度の和が、前記圧縮レートより大きくなるように、前記第１選択手段により選択された２以上の記録媒体への記録速度をそれぞれ算出する算出手段と、
前記第１選択手段により選択された２以上の記録媒体に、前記算出手段により算出された記録速度で、前記圧縮データを並列に記録する記録手段とを備える
ことを特徴とする映像記録装置。
【請求項２】
前記算出手段は、前記複数の記録媒体のうち最も記録可能容量が大きい記録媒体の記録速度を該記録媒体の最大記録速度として算出する
ことを特徴とする請求項１記載の映像記録装置。
【請求項３】
前記第１選択手段は、３以上の記録媒体を選択し、
前記算出手段は、前記第１選択手段により選択された記録媒体のうち最も記録可能容量が大きい記録媒体以外の複数の記録媒体の記録速度を、該複数の記録媒体の記録可能容量の比に応じて、記録可能容量が大きい記録媒体ほど記録速度が速くなるように算出する
ことを特徴とする請求項２記載の映像記録装置。
【請求項４】
前記算出手段は、前記第１選択手段により選択された複数の記録媒体の記録速度を、該複数の記録媒体の記録可能容量の比に応じて、記録可能容量が大きい記録媒体ほど記録速度が速くなるように算出する
ことを特徴とする請求項１記載の映像記録装置。
【請求項５】
前記映像記録装置は、さらに、
前記第１選択手段により選択されていない記録媒体から、前記第１選択手段に選択された記録媒体のうち記録可能時間が最も短い記録媒体と置き換え可能な記録媒体を選択する第２選択手段を備え、
前記記録手段は、前記記録手段による記録により、前記記録可能時間が最も短い記録媒体の記録可能容量がなくなった場合に、該記録媒体に置き換えて前記第２選択手段により選択された記録媒体に記録を行う
ことを特徴とする請求項１記載の映像記録装置。
【請求項６】
映像信号が圧縮された圧縮データを分割して複数の記録媒体に記録する映像記録方法であって、
前記各記録媒体に記録可能な速度の最大値である最大記録速度と、前記各記録媒体に記録可能なデータ量である記録可能容量とを取得する第１取得ステップと、
前記圧縮データの圧縮レートを取得する第２取得ステップと、
選択する２以上の記録媒体の前記最大記録速度の和が前記圧縮レートより大きくなるように、前記複数の記録媒体のうち、前記記録可能容量が大きい方から２以上の記録媒体を選択する第１選択ステップと、
前記第１選択ステップで選択された２以上の記録媒体への記録速度の和が、前記圧縮レートより大きくなるように、前記第１選択ステップで選択された２以上の記録媒体への記録速度をそれぞれ算出する算出ステップと、
前記第１選択ステップで選択された２以上の記録媒体に、前記算出ステップで算出された記録速度で、前記圧縮データを並列に記録する記録ステップとを含む
ことを特徴とする映像記録方法。
【請求項７】
映像信号が圧縮された圧縮データを分割して複数の記録媒体に記録する映像記録方法のプログラムであって、
前記各記録媒体に記録可能な速度の最大値である最大記録速度と、前記各記録媒体に記録可能なデータ量である記録可能容量とを取得する第１取得ステップと、
前記圧縮データの圧縮レートを取得する第２取得ステップと、
選択する２以上の記録媒体の前記最大記録速度の和が前記圧縮レートより大きくなるように、前記複数の記録媒体のうち、前記記録可能容量が大きい方から２以上の記録媒体を選択する第１選択ステップと、
前記第１選択ステップで選択された２以上の記録媒体への記録速度の和が、前記圧縮レートより大きくなるように、前記第１選択ステップで選択された２以上の記録媒体への記録速度をそれぞれ算出する算出ステップと、
前記第１選択ステップで選択された２以上の記録媒体に、前記算出ステップで算出された記録速度で、前記圧縮データを並列に記録する記録ステップとをコンピュータに実行させる
ことを特徴とするプログラム。
【発明の詳細な説明】
【技術分野】
【０００１】
本発明は、映像記録装置に関し、特に、映像信号が圧縮された圧縮データを分割して複数の記録媒体に記録する映像記録装置に関する。
【背景技術】
【０００２】
デジタルビデオカメラ及びデジタルカメラなどの被写体の光学像を高精細な入力映像信号に変換し、任意の圧縮方式により圧縮して記録媒体に記録する映像記録装置が一般に用いられている。一般に、このような映像記録装置は、単一の記録媒体に、圧縮された入力映像信号を記録する。
【０００３】
近年、映像記録装置において、入力映像信号の高精細化にともない圧縮データの単位時間当たりのデータ量である圧縮レートが増加している。これにより、映像記録装置は、記録媒体に、高速に大容量の圧縮データを記録する必要がある。
【０００４】
しかしながら、単一の記録媒体に高速に大容量の圧縮データを記録するためには、記録媒体が高速の記録速度に対応し、且つ記録媒体が大きな記録容量を有する必要がある。これに対して、複数の記録媒体に並列に圧縮データを記録することで、個々の記録媒体への記録速度を低減することができる。また、記録可能な容量は各記録媒体の記録容量の和となるので、記録可能な容量を容易に増加させることができる。これにより、映像記録装置は、長時間の映像記録を行うことができる。
【０００５】
例えば、複数の記録媒体に圧縮データを記録する映像記録装置が、特許文献１に記載されている。
【０００６】
特許文献１記載の映像記録装置は、圧縮データをフレーム又はＧＯＰ（Ｇｒｏｕｐ Ｏｆ Ｐｉｃｔｕｒｅ）など任意の単位で、複数の記録媒体に巡回させて記録する。これにより、個々の記録媒体の記録速度を超えるデータ量の圧縮データの記録を行うことができる。
【特許文献１】特開２００４-４８３０２号公報
【発明の開示】
【発明が解決しようとする課題】
【０００７】
しかしながら、特許文献１記載の映像記録装置は、複数の記録媒体の記録可能容量が異なる場合、映像記録装置の映像記録時間が、複数の記録媒体の記録可能容量のうち最小の容量により決定される。よって、他の記録媒体に記録可能な容量が存在しても映像記録を行うことはできない。すなわち、特許文献１記載の映像記録装置は、複数の記録媒体の容量を効率的に使用することができないという問題がある。
【０００８】
そこで、本発明は、複数の記録媒体の容量を効率的に使用することができる映像記録装置を提供することを目的とする。
【課題を解決するための手段】
【０００９】
上記目的を達成するために、本発明に係る映像記録装置は、映像信号が圧縮された圧縮データを分割して複数の記録媒体に記録する映像記録装置であって、前記各記録媒体に記録可能な速度の最大値である最大記録速度と、前記各記録媒体に記録可能なデータ量である記録可能容量とを取得する第１取得手段と、前記圧縮データの圧縮レートを取得する第２取得手段と、選択する２以上の記録媒体の前記最大記録速度の和が前記圧縮レートより大きくなるように、前記複数の記録媒体のうち、前記記録可能容量が大きい方から２以上の記録媒体を選択する第１選択手段と、前記第１選択手段により選択された２以上の記録媒体への記録速度の和が、前記圧縮レートより大きくなるように、前記第１選択手段により選択された２以上の記録媒体への記録速度をそれぞれ算出する算出手段と、前記第１選択手段により選択された２以上の記録媒体に、前記算出手段により算出された記録速度で、前記圧縮データを並列に記録する記録手段とを備える。
【００１０】
この構成によれば、複数の記録媒体のうち記録可能容量が大きい記録媒体に、優先的に記録を行うので、複数の記録媒体の容量を効率的に使用することができる。これにより、本発明に係る映像記録装置は、長時間の映像録画を行うことができる。また、本発明に係る映像記録装置は、複数の記録媒体に並列に圧縮データを記録するので、個々の記録媒体の記録速度を低減することができる。
【００１１】
また、前記算出手段は、前記複数の記録媒体のうち最も記録可能容量が大きい記録媒体の記録速度を該記録媒体の最大記録速度として算出してもよい。
【００１２】
この構成によれば、複数の記録媒体のうち最も記録可能容量が大きい記録媒体に、より多くの圧縮データが記録される。よって、本発明に係る映像記録装置は、複数の記録媒体の容量を効率的に使用することができる。これにより、本発明に係る映像記録装置は、長時間の映像録画を行うことができる。
【００１３】
また、前記第１選択手段は、３以上の記録媒体を選択し、前記算出手段は、前記第１選択手段により選択された記録媒体のうち最も記録可能容量が大きい記録媒体以外の複数の記録媒体の記録速度を、該複数の記録媒体の記録可能容量の比に応じて、記録可能容量が大きい記録媒体ほど記録速度が速くなるように算出してもよい。
【００１４】
この構成によれば、記録可能容量が大きい記録媒体ほど、速い記録速度で圧縮データが記録される。よって、本発明に係る映像記録装置は、複数の記録媒体の容量を効率的に使用することができる。これにより、本発明に係る映像記録装置は、長時間の映像録画を行うことができる。
【００１５】
また、前記算出手段は、前記第１選択手段により選択された複数の記録媒体の記録速度を、該複数の記録媒体の記録可能容量の比に応じて、記録可能容量が大きい記録媒体ほど記録速度が速くなるように算出してもよい。
【００１６】
この構成によれば、記録可能容量が大きい記録媒体ほど、速い記録速度で圧縮データが記録される。よって、本発明に係る映像記録装置は、複数の記録媒体の容量を効率的に使用することができる。これにより、本発明に係る映像記録装置は、長時間の映像録画を行うことができる。
【００１７】
また、前記映像記録装置は、さらに、前記第１選択手段により選択されていない記録媒体から、前記第１選択手段に選択された記録媒体のうち記録可能時間が最も短い記録媒体と置き換え可能な記録媒体を選択する第２選択手段を備え、前記記録手段は、前記記録手段による記録により、前記記録可能時間が最も短い記録媒体の記録可能容量がなくなった場合に、該記録媒体に置き換えて前記第２選択手段により選択された記録媒体に記録を行ってもよい。
【００１８】
この構成によれば、第１選択手段により選択された複数の記録媒体のうち最も記録可能時間が短い記録媒体の記録可能容量がなくなった場合に、他の記録媒体に引き続き圧縮データの記録を行う。よって、本発明に係る映像記録装置は、複数の記録媒体の容量を効率的に使用することができる。これにより、本発明に係る映像記録装置は、長時間の映像録画を行うことができる。
【００１９】
また、本発明に係る映像記録方法は、映像信号が圧縮された圧縮データを分割して複数の記録媒体に記録する映像記録方法であって、前記各記録媒体に記録可能な速度の最大値である最大記録速度と、前記各記録媒体に記録可能なデータ量である記録可能容量とを取得する第１取得ステップと、前記圧縮データの圧縮レートを取得する第２取得ステップと、選択する２以上の記録媒体の前記最大記録速度の和が前記圧縮レートより大きくなるように、前記複数の記録媒体のうち、前記記録可能容量が大きい方から２以上の記録媒体を選択する第１選択ステップと、前記第１選択ステップで選択された２以上の記録媒体への記録速度の和が、前記圧縮レートより大きくなるように、前記第１選択ステップで選択された２以上の記録媒体への記録速度をそれぞれ算出する算出ステップと、前記第１選択ステップで選択された２以上の記録媒体に、前記算出ステップで算出された記録速度で、前記圧縮データを並列に記録する記録ステップとを含む。
【００２０】
これによれば、複数の記録媒体のうち記録可能容量が大きい記録媒体に、優先的に記録を行うので、複数の記録媒体の容量を効率的に使用することができる。これにより、本発明に係る映像記録方法は、長時間の映像録画を行うことができる。また、本発明に係る映像記録方法は、複数の記録媒体に並列に圧縮データを記録するので、個々の記録媒体の記録速度を低減することができる。
【００２１】
なお、本発明は、このような映像記録装置及び映像記録方法として実現することができるだけでなく、映像記録方法に含まれる特徴的なステップをコンピュータに実行させるプログラムとして実現することもできる。そして、そのようなプログラムは、ＣＤ−ＲＯＭ等の記録媒体やインターネット等の伝送媒体を介して流通させることができるのは言うまでもない。
【発明の効果】
【００２２】
本発明は、複数の記録媒体の容量を効率的に使用することができる映像記録装置を提供することができる。
【発明を実施するための最良の形態】
【００２３】
以下、本発明に係る映像記録装置の実施の形態について、図面を参照しながら詳細に説明する。
【００２４】
（実施の形態１）
本発明の実施の形態１に係る映像記録装置は、複数の記録媒体の記録可能容量に基づき、記録を行う記録媒体の選択、及び選択された記録媒体への記録速度の算出を行う。これにより、本発明の実施の形態１に係る映像記録装置は、複数の記録媒体の容量を効率的に使用することができる。
【００２５】
まず、本発明の実施の形態１に係る映像記録装置の構成を説明する。
図１は、本発明の実施の形態１に係る映像記録装置の構成を示すブロック図である。図１に示す映像記録装置１００は、被写体の光学像を入力映像信号に変換し、変換された入力映像信号を圧縮し、圧縮された圧縮データを分割して複数の記録媒体に記録するカメラレコーダである。
【００２６】
映像記録装置１００は、カメラ部１０１と、信号処理部１０２と、バッファ１０３と、圧縮回路１０４と、バッファ１０５と、操作部１０６と、制御部１０７と、圧縮回路制御部１０８と、Ｉ／Ｆ回路１１１、１１２及び１１３とを備える。
【００２７】
カメラ部１０１は、被写体の光学像を入力映像信号に変換する。
信号処理部１０２は、カメラ部１０１により変換された入力映像信号に、ＲＧＢ／ＹＣ変換、各種フィルタ処理、及びリサイズなどの画像処理を行う。
【００２８】
バッファ１０３は、信号処理部１０２により画像処理された入力映像信号を一時的に蓄積する。
【００２９】
圧縮回路１０４は、バッファ１０３に蓄積される入力映像信号を、ＤＶＣＰＲＯ又はＭＰＥＧ（Ｍｏｖｉｎｇ  Ｐｉｃｔｕｒｅ  Ｅｘｐｅｒｔｓ  Ｇｒｏｕｐ）などの圧縮方式で圧縮し圧縮データを生成する。
【００３０】
バッファ１０５は、圧縮回路１０４により圧縮された圧縮データを一時的に蓄積する。
Ｉ／Ｆ回路１１１は、バッファ１０５に蓄積される圧縮データを記録媒体１２１に記録する。Ｉ／Ｆ回路１１２は、バッファ１０５に蓄積される圧縮データを記録媒体１２２に記録する。Ｉ／Ｆ回路１１３は、バッファ１０５に蓄積される圧縮データを記録媒体１２３に記録する。また、Ｉ／Ｆ回路１１１、１１２及び１１３は、制御部１０７の制御により、バッファ１０５に蓄積される圧縮データを記録媒体１２１、１２２及び１２３に並列に記録する。
【００３１】
記録媒体１２１、１２２及び１２３は、半導体メモリカード等の映像記録装置１００に着脱可能な記録媒体である。なお、記録媒体１２１、１２２及び１２３は、映像記録装置１００に着脱可能な光ディスク、磁気ディスク又は半導体メモリなどであってもよい。さらに、記録媒体１２１、１２２及び１２３は、映像記録装置１００に固定的に内蔵される磁気ディスク又は半導体メモリであってもよい。さらに、記録媒体１２１、１２２及び１２３は、異なる種類の記録媒体であってもよい。例えば、記録媒体１２１及び１２２は半導体メモリカードであり、記録媒体１２３は映像記録装置１００に固定的に内蔵される磁気ディスクであってもよい。
【００３２】
操作部１０６は、ユーザーにより記録の開始及び停止などの各種の操作が入力される。また、操作部１０６は、ユーザーにより信号方式、圧縮方式及び圧縮レートの設定などが入力される。ここで、圧縮レートとは、圧縮回路１０４により圧縮され出力される圧縮データの単位時間当たりのデータ量である。
【００３３】
制御部１０７は、操作部１０６及び圧縮回路制御部１０８の制御を行う。また、制御部１０７は、半導体メモリ及び磁気ディスクなどの記録媒体の種別を管理する。また、制御部１０７は、複数の記録媒体への圧縮データの記録を制御する。制御部１０７は、記録媒体情報取得部１３１と、記憶部１３２と、入力情報取得部１３３と、選択部１３４と、算出部１３５と、記録部１３６と、管理部１３７とを備える。例えば、制御部１０７は、記憶部（ハードディスク、ＲＯＭ又はＲＡＭ等）に記憶されるプログラムを実行することにより、図１に示す機能ブロックの機能を実現する。なお、制御部１０７の一部又は全部を専用の回路で構成してもよい。
【００３４】
記録媒体情報取得部１３１は、記録媒体１２１、１２２及び１２３のそれぞれの記録容量、最大記録速度及び記録可能容量を取得する。
【００３５】
記憶部１３２は、記録媒体情報取得部１３１により取得された記録容量、最大記録速度及び記録可能容量を記録媒体情報として記録する。
【００３６】
図２は、記憶部１３２に記憶される記録媒体情報の一例を示す図である。図２に示すように、記録媒体番号にそれぞれ対応する、記録容量、最大記録速度及び記録可能容量とが記憶される。ここで、記録容量は、記録媒体に記録可能な最大のデータ量である。最大記録速度は、記録媒体に記録可能な速度の最大値である。記録可能容量は、現在、記録媒体に記録可能なデータ量であり、記録容量から記録媒体に記録されているデータの容量を引いた値である。すなわち、記録可能容量は、記録媒体の空き容量である。また、記録媒体番号は、Ｉ／Ｆ回路１１１、１１２及び１１３にそれぞれ対応した番号であり、記録媒体１２１、１２２及び１２３にそれぞれ対応する。例えば、記録媒体番号１は記録媒体１２１に対応し、記録媒体番号２は記録媒体１２２に対応し、記録媒体番号３は記録媒体１２３に対応する。
【００３７】
入力情報取得部１３３は、操作部１０６に入力されたユーザーによる操作と、信号方式、圧縮方式及び圧縮レート等を取得する。
【００３８】
選択部１３４は、複数の記録媒体１２１、１２２及び１２３から圧縮データの記録を行う記録媒体を選択する。選択部１３４は、選択する記録媒体の最大記録速度の和が、入力情報取得部１３３により取得された圧縮レートより大きくなるように、記録可能容量が大きい記録媒体から圧縮データの記録を行う記録媒体を選択する。
【００３９】
算出部１３５は、選択部により選択された記録媒体への記録速度をそれぞれ算出する。算出部１３５は、選択部１３４により選択された記録媒体への記録速度の和が、入力情報取得部１３３により取得された圧縮レートより大きくなるように、各記録媒体への記録速度を算出する。具体的には、算出部１３５は、圧縮レートを満たすまで、最大記録容量が大きい記録媒体から、該記録媒体の記録速度を該記録媒体の最大記録速度として算出する。すなわち、算出部１３５は、複数の記録媒体のうち最も記録可能容量が大きい記録媒体の記録速度を該記録媒体の最大記録速度として算出する。
【００４０】
記録部１３６は、選択部１３４により選択された記録媒体に、算出部１３５により算出された記録速度で、圧縮データを並列に記録する。
【００４１】
管理部１３７は、記録部１３６により複数の記録媒体に並列記録された複数のファイルを同一の映像データファイルとして管理する管理データを生成する。また、管理部１３７は、生成された管理データを各記録媒体に記録する。
【００４２】
圧縮回路制御部１０８は、操作部１０６に入力されたユーザーによる操作と、信号方式、圧縮方式及び圧縮レートの設定とに応じて、信号処理部１０２及び圧縮回路１０４を制御する。
【００４３】
次に、映像記録装置１００の動作を説明する。
図３は、映像記録装置１００による記録媒体１２１、１２２及び１２３への映像記録動作の流れを示すフローチャートである。
【００４４】
例えば、ユーザーは予め映像記録装置１００に記録媒体１２１、１２２及び１２３を装着した状態で、映像記録装置１００の電源を投入する。
【００４５】
映像記録装置１００の電源が投入されると、記録媒体情報取得部１３１は、映像記録装置１００に装着されている記録媒体１２１、１２２及び１２３の記録容量、記録可能容量及び最大記録速度を取得し、記録媒体情報として記憶部１３２に記憶する（Ｓ１０１）。また、記録媒体情報取得部１３１は、記録媒体が映像記録装置１００に新たに装着された時、及び記録媒体が映像記録装置１００から外された時に、映像記録装置１００に装着されている記録媒体の記録容量、記録可能容量及び最大記録速度を取得し、記憶部１３２に記憶される記録媒体情報を更新する。また、記録媒体情報取得部１３１は、映像記録装置１００の電源投入後に定期的に、映像記録装置１００に装着されている記録媒体の記録容量、記録可能容量及び最大記録速度を取得し、記憶部１３２に記憶される記録媒体情報を更新してもよい。
【００４６】
次に、ユーザーにより、操作部１０６に信号方式、圧縮方式及び圧縮レートの設定などの映像記録に必要な情報が入力される。
【００４７】
入力情報取得部１３３は、操作部１０６に入力された圧縮レートを取得する（Ｓ１０２）。また、入力情報取得部１３３は、操作部１０６に入力された信号方式及び圧縮方式を取得する。
【００４８】
選択部１３４は、ステップＳ１０１で取得された記録媒体１２１、１２２及び１２３の記録可能容量及び最大記録速度と、ステップＳ１０２で取得された圧縮レートとに基づき、圧縮データを記録する記録媒体の選択する。また、算出部１３５は、選択部１３４により選択された記録媒体への記録速度の算出を行う（Ｓ１０３）。なお、圧縮データを記録する記録媒体の選択、及び、選択された記録媒体への記録速度の算出の詳細については、後述する。
【００４９】
一方で、映像記録装置１００の電源が投入されると、カメラ部１０１は、被写体の光学像を入力映像信号に変換する。信号処理部１０２は、圧縮回路制御部１０８の制御により、操作部１０６に入力された信号方式に基づき、カメラ部１０１により変換された入力映像信号に画像処理を行う。バッファ１０３は、信号処理部１０２により画像処理された入力映像信号を一時的に蓄積する。
【００５０】
次に、ユーザーにより、操作部１０６の映像記録開始のボタンが押下されると、圧縮回路１０４は、圧縮回路制御部１０８の制御により、操作部１０６に入力された信号方式、圧縮方式及び圧縮レートの設定に基づき、バッファ１０３に蓄積される、操作部１０６の映像記録開始のボタンが押下された時刻以降の入力映像信号を圧縮し、圧縮データを生成する。バッファ１０５は、圧縮回路１０４により圧縮された圧縮データを一時的に蓄積する。
【００５１】
記録部１３６は、バッファ１０５に蓄積される圧縮データを、ステップＳ１０３で選択された記録媒体に、ステップＳ１０３で算出された記録速度で、並列に記録する（Ｓ１０４）。
【００５２】
ユーザーにより操作部１０６の映像記録停止ボタンを押下されるまで（Ｓ１０５でＮｏ）、記録部１３６は、バッファ１０５に蓄積される圧縮データを、ステップＳ１０３で選択された記録媒体に、ステップＳ１０３で算出された記録速度で、並列に記録する（Ｓ１０４）。
【００５３】
ユーザーにより操作部１０６の映像記録停止ボタンを押下されると（Ｓ１０５でＹｅｓ）、圧縮回路１０４は、操作部１０６の映像記録停止ボタンを押下された時刻までの、バッファ１０３に蓄積される入力映像信号を圧縮し、圧縮データをバッファ１０５に蓄積する。記録部１３６は、操作部１０６の映像記録停止ボタンを押下された時刻までの入力映像信号に対応する圧縮データを記録媒体に並列に記録し、映像記録を停止する。このとき、管理部１３７は、複数の記録媒体にファイルとして記録した圧縮データを同一の映像データファイルとして関連付けるための管理データを生成して各記録媒体に併せて記録する（Ｓ１０６）。
【００５４】
以上のように、映像記録装置１００により、被写体の光学像が入力映像信号に変換され、変換された入力映像信号が圧縮され、圧縮された圧縮データが複数の記録媒体に記録される。
【００５５】
次に、ステップＳ１０３の記録速度算出処理の詳細を説明する。
図４は、映像記録装置１００の記録速度算出処理の流れを示すフローチャートである。以下、ステップＳ１０１において、図２に示す記録媒体情報が取得され、ステップＳ１０２において、圧縮レートとして７．５（ＭＢ／秒）が取得された場合を例に説明する。
【００５６】
まず、選択部１３４は、記録媒体１２１、１２２及び１２３のうち、記録可能容量が最大の記録媒体を選択する（Ｓ２０１）。ここで、記録媒体１２１の記録可能容量は１６（ＧＢ）であり、記録媒体の１２２の記録可能容量は８（ＧＢ）であり、記録媒体１２３の記録可能容量は２（ＧＢ）であるので、記録媒体１２１が選択される。
【００５７】
次に、算出部１３５は、ステップＳ１０２で取得された圧縮レート７．５（ＭＢ／秒）から、ステップＳ２０１で選択された記録媒体１２１の最大記録速度３（ＭＢ／秒）を引くことで、不足する記録速度４．５（ＭＢ／秒）を算出する（Ｓ２０２）。
【００５８】
選択された記録媒体１２１のみの記録速度では、圧縮レート７．５（ＭＢ／秒）を満足しないので（Ｓ２０３でＮｏ）、算出部１３５は、選択された記録媒体１２１の記録速度を、記録媒体１２１の最大記録速度である３（ＭＢ／秒）とする（Ｓ２０４）。
【００５９】
次に、選択部１３４は、選択された記録媒体１２１以外の記録媒体１２２及び１２３のうち、記録可能容量が最大の記録媒体１２２を選択する（Ｓ２０１）。
【００６０】
次に、算出部１３５は、ステップＳ２０２で算出された不足する記録速度４．５（ＭＢ／秒）から、選択された記録媒体１２２の最大記録速度４（ＭＢ／秒）を引くことで、不足する記録速度０．５（ＭＢ／秒）を算出する（Ｓ２０２）。
【００６１】
選択された記録媒体１２１及び１２２の記録速度の和では、圧縮レート７．５（ＭＢ／秒）を満足しないので（Ｓ２０３でＮｏ）、算出部１３５は、選択された記録媒体１２２の記録速度を、記録媒体１２２の最大記録速度である４（ＭＢ／秒）とする（Ｓ２０４）。
【００６２】
次に、選択部１３４は、選択された記録媒体１２１及び１２２以外の記録媒体１２３を選択する（Ｓ２０１）。
【００６３】
次に、算出部１３５は、ステップＳ２０２で算出された不足する記録速度０．５（ＭＢ／秒）から、ステップ２０１で選択された記録媒体１２３の最大記録速度２．５（ＭＢ／秒）を引くことで、不足する記録速度を算出する（Ｓ２０２）。
【００６４】
ここで、選択された記録媒体１２３の最大記録速度２．５（ＭＢ／秒）は、不足する記録速度０．５（ＭＢ／秒）より大きい。すなわち、選択された記録媒体１２１、１２２及び１２３の記録速度の和は、圧縮レート７．５（ＭＢ／秒）を満足するので（Ｓ２０３でＹｅｓ）、算出部１３５は、選択された記録媒体１２３の記録速度を、不足する記録速度０．５（ＭＢ／秒）とする（Ｓ２０５）。
【００６５】
以上により、記録媒体１２１、１２２及び１２３が並列に記録を行われる記録媒体として選択される。また、記録媒体１２１、１２２及び１２３への記録速度が算出される。
【００６６】
ここで、記録媒体１２１の記録可能時間は、１６（ＧＢ）÷３（ＭＢ／秒）＝５４６１．３（秒）であり、記録媒体１２２の記録可能時間は８（ＧＢ）÷４（ＭＢ／秒）＝２０４８（秒）であり、記録媒体１２３の記録可能時間は２（ＧＢ）÷０．５（ＭＢ／秒）＝４０９６（秒）である。よって、３つの記録媒体１２１、１２２及び１２３への記録可能時間は最も記録可能時間の少ない記録媒体１２２の記録可能時間２０４８（秒）となる。
【００６７】
一方、圧縮レートを３つの記録媒体に均等に分割した場合には、各記録媒体１２１、１２２及び１２３への記録速度は、７．５（ＭＢ／秒）÷３＝２．５（ＭＢ／秒）である。３つの記録媒体１２１、１２２及び１２３への記録可能時間は、３つの記録媒体１２１、１２２及び１２３のなかで最も記録可能容量の少ない記録媒体１２３の記録可能時間となる。記録媒体１２３の記録可能時間は、記録可能容量２（ＧＢ）を記録速度２．５（ＭＢ／秒）で除算した結果、２（ＧＢ）÷２．５（ＭＢ／秒）＝８１９．２（秒）となる。すなわち、圧縮レートを３つの記録媒体に均等に分割した場合の３つの記録媒体１２１、１２２及び１２３への記録可能時間は、８１９．２（秒）である。
【００６８】
このように、本発明の実施の形態１に係る映像記録装置１００は、圧縮レートを３つの記録媒体に均等に分割した場合に比べ、約２．５倍の時間、記録を行うことができる。
【００６９】
なお、上記説明では、３つの記録媒体１２１、１２２及び１２３に並列に圧縮データが記録される例を説明したが、２つの記録媒体の最大記録速度の和が、入力された圧縮レート以上になる場合には、２つの記録媒体に並列に圧縮データが記録される。また、１つの記録媒体の最大記録速度が、入力された圧縮レート以上になる場合には、１つの記録媒体に圧縮データが記録される。
【００７０】
以上より、本発明の実施の形態１に係る映像記録装置１００は、複数の記録媒体１２１、１２２及び１２３のうち記録可能容量が大きい記録媒体から圧縮データの記録を行う記録媒体を選択する。これにより、複数の記録媒体のうち記録可能容量が大きい記録媒体に、優先的に記録を行うので、複数の記録媒体の容量を効率的に使用することができる。
【００７１】
さらに、本発明の実施の形態１に係る映像記録装置１００は、複数の記録媒体１２１、１２２及び１２３のうち最も記録可能容量が大きい記録媒体１２１の記録速度を記録媒体１２１の最大記録速度として算出する。これにより、複数の記録媒体１２１、１２２及び１２３のうち最も記録可能容量が大きい記録媒体１２１に、より多くの圧縮データが記録される。よって、本発明の実施の形態１に係る映像記録装置１００は、複数の記録媒体の容量を効率的に使用することができる。これにより、本発明の実施の形態１に係る映像記録装置１００は、長時間の映像録画を行うことができる。
【００７２】
また、本発明の実施の形態１に係る映像記録装置１００は、複数の記録媒体に並列に圧縮データを記録する。これにより、個々の記録媒体の記録速度を低減することができる。
【００７３】
（実施の形態２）
本発明の実施の形態２に係る映像記録装置は、複数の記録媒体の記録可能容量の比に応じて、記録可能容量が大きい記録媒体ほど記録速度が速くなるように複数の記録媒体への記録速度を算出する。これにより、複数の記録媒体の容量を効率的に使用することができる。
【００７４】
本発明の実施の形態２に係る映像記録装置の構成は図１と同様であり、説明は省略する。
【００７５】
以下、本発明の実施の形態２に係る映像記録装置の動作を説明する。なお、本発明の実施の形態２に係る映像装置による映像記録動作の流れは図３と同様であり、説明は省略する。
【００７６】
図５は、本発明の実施の形態２に係る映像記録装置の記録速度算出処理の流れを示すフローチャートである。なお、図３に示すステップＳ１０１において、図２に示す記録媒体情報が取得され、ステップＳ１０２において、圧縮レートとして７．５（ＭＢ／秒）が取得された場合を例に説明する。
【００７７】
まず、選択部１３４は、記録媒体１２１、１２２及び１２３のうち、記録可能容量が最大の記録媒体１２１を選択する（Ｓ３０１）。
【００７８】
次に、算出部１３５は、ステップＳ１０２で取得された圧縮レート７．５（ＭＢ／秒）から、ステップＳ３０１で選択された記録媒体１２１の最大記録速度３（ＭＢ／秒）を引くことで、不足する記録速度４．５（ＭＢ／秒）を算出する（Ｓ３０２）。
【００７９】
選択された記録媒体１２１のみの記録速度では、圧縮レート７．５（ＭＢ／秒）を満足しないので（Ｓ３０３でＮｏ）、算出部１３５は、選択された記録媒体１２１の記録速度を、記録媒体１２１の最大記録速度である３（ＭＢ／秒）とする（Ｓ３０４）。
【００８０】
次に、選択部１３４は、選択された記録媒体１２１以外の記録媒体１２２及び１２３のうち、記録可能容量が最大の記録媒体１２２を選択する（Ｓ３０５）。
【００８１】
次に、算出部１３５は、ステップＳ３０２で算出された不足する記録速度４．５（ＭＢ／秒）から、ステップＳ３０５で選択された記録媒体１２２の最大記録速度４（ＭＢ／秒）を引くことで、不足する記録速度０．５（ＭＢ／秒）を算出する（Ｓ３０６）。
【００８２】
選択された記録媒体１２１及び１２２の記録速度の和では、圧縮レート７．５（ＭＢ／秒）を満足しないので（Ｓ３０７でＮｏ）、次に、選択部１３４は、選択された記録媒体１２１及び１２２以外の記録媒体１２３を選択する（Ｓ３０５）。
【００８３】
次に、算出部１３５は、ステップＳ３０６で算出された不足する記録速度０．５（ＭＢ／秒）から、選択された記録媒体１２３の最大記録速度２．５（ＭＢ／秒）を引くことで、不足する記録速度を算出する（Ｓ３０６）。
【００８４】
ここで、選択された記録媒体１２３の最大記録速度２．５（ＭＢ／秒）は、不足する記録速度０．５（ＭＢ／秒）より大きい。すなわち、選択された記録媒体１２１、１２２及び１２３の記録速度の和は、圧縮レート７．５（ＭＢ／秒）を満足するので（Ｓ３０７でＹｅｓ）、次に、算出部１３５は、ステップＳ３０５で選択された記録媒体１２２及び１２３の記録速度として、記録媒体１２２及び１２３の記録可能容量に比例した記録速度を算出する（Ｓ３０８）。
【００８５】
具体的には、記録媒体１２２の記録速度をＸ（ＧＢ）とし、記録媒体１２３の記録速度をＹ（ＧＢ）とすると、Ｘ＋Ｙ＝７．５（ＭＢ／秒）−３（ＭＢ／秒）＝４．５（ＭＢ／秒）である。また、記録媒体１２２と記録媒体１２３との記録可能容量の比は８（ＧＢ）：２（ＧＢ）＝４：１である。よって、算出部１３５は、記録媒体１２２の記録速度Ｘ＝４．５（ＭＢ／秒）×４／５＝３．６（ＭＢ／秒）と算出し、記録媒体１２３への記録速度Ｙ＝４．５（ＭＢ／秒）×１／５＝０．９（ＭＢ／秒）と算出する。
【００８６】
以上により、記録媒体１２１、１２２及び１２３が並列に記録を行われる記録媒体として選択される。また、記録媒体１２１、１２２及び１２３への記録速度が算出される。
【００８７】
ここで、記録媒体１２１の記録可能時間は、１６（ＧＢ）÷３（ＭＢ／秒）＝５４６１．３（秒）であり、記録媒体１２２の記録可能時間は８（ＧＢ）÷３．６（ＭＢ／秒）＝２２７５．５（秒）であり、記録媒体１２３の記録可能時間は２（ＧＢ）÷０．９（ＭＢ／秒）＝２２７５．５（秒）である。よって、３つの記録媒体１２１、１２２及び１２３への記録可能時間は最も記録可能時間の少ない記録媒体１２２の記録可能時間２２７５．５（秒）となる。上述したように、圧縮レートを３つの記録媒体に均等に分割した場合の３つの記録媒体１２１、１２２及び１２３への記録可能時間は、８１９．２（秒）である。
【００８８】
よって、本発明の実施の形態２に係る映像記録装置は、圧縮レートを３つの記録媒体に均等に分割した場合に比べ、約２．７倍の時間の記録を行うことができる。
【００８９】
なお、１つの記録媒体のみで、圧縮レートを満足する場合（ステップＳ３０３でＹｅｓ）、選択された記録媒体の記録速度は圧縮レートの値となる。
【００９０】
また、２つの記憶媒体で、圧縮レートを満足する場合、最も記録可能容量が大きい記録媒体の記録速度は該記録媒体の最大記録速度となり、次に記録可能容量が大きい記録媒体の記録速度は圧縮レートから最も記録可能容量が大きい記録媒体の記録速度を引いた記録速度となる。
【００９１】
また、ステップＳ３０８において算出された記録媒体１２２又は１２３の記録速度が該記録媒体の最大記録速度を越える場合には、算出部１３５は、該記録媒体の記録速度を該記録媒体の最大記録速度として算出する。また、算出部１３５は、圧縮レートから他の記録媒体の記録速度を引いた値を、残りの記録媒体の記録速度とする。
【００９２】
以上より、本発明の実施の形態２に係る映像記録装置は、最も記録可能容量が大きい記録媒体１２１の記録速度を、記録媒体１２１の最大記録速度とする。また、算出部１３５は、選択部１３４により選択された記録媒体１２１、１２２及び１２３のうち最も記録可能容量が大きい記録媒体１２１以外の記録媒体１２２及び１２３の記録速度を、記録媒体１２２及び１２３の記録可能容量の比に応じて、記録可能容量が大きい記録媒体１２２ほど記録速度が速くなるように記録媒体１２２及び１２３への記録速度を算出する。これにより、本発明の実施の形態２に係る映像記録装置は、複数の記録媒体の容量を効率的に使用することができる。よって、本発明の実施の形態２に係る映像記録装置は、長時間の映像録画を行うことができる。
【００９３】
なお、上記説明において、最も記録可能容量が大きい記録媒体を除いた記録媒体に対して、該記録媒体の記録可能容量の比に応じて該記録媒体への記録速度を算出したが、選択された全ての記録媒体に対して、記録可能容量に比例した記録速度を算出してもよい。
【００９４】
図６は、本発明の実施の形態２に係る映像記録装置の記録速度算出処理の変形例の流れを示すフローチャートである。
【００９５】
まず、選択部１３４は、記録媒体１２１、１２２及び１２３のうち、記録可能容量が最大の記録媒体を選択する（Ｓ４０１）。
【００９６】
次に、算出部１３５は、選択された記録媒体の最大記録速度の和が、ステップＳ１０２で取得された圧縮レート以上であるか否かを判定する（Ｓ４０２）。
【００９７】
選択された記録媒体の最大記録速度の和が、ステップＳ１０２で取得された圧縮レート未満である場合（Ｓ４０２でＮｏ）、選択部１３４は、選択されていない記録媒体のうち記録可能容量が最大の記録媒体を選択し（Ｓ４０１）、算出部１３５は、再度、選択された記録媒体の最大記録速度の和が、ステップＳ１０２で取得された圧縮レート以上であるか否かを判定する（Ｓ４０２）。
【００９８】
選択された記録媒体の最大記録速度の和が、ステップＳ１０２で取得された圧縮レート以上である場合（Ｓ４０２でＹｅｓ）、次に、算出部１３５は、選択された記録媒体の記録速度として、選択された記録媒体の記録可能容量に比例した記録速度を算出する（Ｓ４０３）。
【００９９】
以上より、本発明の実施の形態２に係る映像記録装置は、選択部１３４により選択された複数の記録媒体の記録速度を、各記録媒体の記録可能容量の比に応じて、記録可能容量が大きい記録媒体ほど記録速度が速くなるように該記録媒体への記録速度を算出する。これにより、本発明の実施の形態２に係る映像記録装置は、複数の記録媒体の容量を効率的に使用することができる。よって、本発明の実施の形態２に係る映像記録装置は、長時間の映像録画を行うことができる。
【０１００】
なお、上記説明において、選択部１３４は、選択された記録媒体の最大記録速度の和が圧縮レート以上になった場合に、圧縮データの記録を行う記録媒体の選択を終了しているが、選択部１３４は、映像記録装置に装着されている全ての記録媒体を選択し、算出部１３５は、選択された記録媒体の記録可能容量の比に応じて、記録可能容量が大きい記録媒体ほど記録速度が速くなるように該記録媒体への記録速度を算出してもよい。
【０１０１】
（実施の形態３）
本発明の実施の形態３に係る映像記録装置は、最も記録可能時間が短い記録媒体の記録可能容量がなくなった場合に、引き続き他の記録媒体に記録を行うための処理を行う。これにより、複数の記録媒体の容量を効率的に使用することができる。
【０１０２】
まず、本発明の実施の形態３に係る映像記録装置の構成を説明する。
図７は、本発明の実施の形態３に係る映像記録装置の構成を示すブロック図である。なお、図１と同様の要素には同一の符号を付しており、詳細な説明は省略する。図７に示す映像記録装置３００は、図１に示す映像記録装置１００の構成に加え、さらに、制御部１０７が置き換え制御部１３８と、記録時間算出部１３９とを備える。
【０１０３】
置き換え制御部１３８は、最も記録可能時間が短い記録媒体の記録可能容量がなくなった場合に、引き続き他の記録媒体に記録を行うための制御を行う。具体的には、置き換え制御部１３８は、選択部１３４により選択されていない記録媒体から、選択部１３４に選択された記録媒体のうち記録可能時間が最も短い記録媒体と置き換え可能な記録媒体を判定し選択する。
【０１０４】
記録時間算出部１３９は、選択部１３４により選択された複数の記録媒体の記録可能時間を算出する。
【０１０５】
また、記録部１３６は、置き換え制御部１３８の制御により、記録部１３６による記録により、記録可能時間が最も短い記録媒体の記録可能容量がなくなった場合に、該記録媒体に置き換えて置き換え制御部１３８により選択された記録媒体に記録を行う。
【０１０６】
以下、本発明の実施の形態３に係る映像記録装置の動作を説明する。なお、本発明の実施の形態３に係る映像装置による映像記録動作の流れは図３と同様であり、説明は省略する。
【０１０７】
図８は、本発明の実施の形態３に係る映像記録装置の記録速度算出処理の流れを示すフローチャートである。以下、ステップＳ１０１において、図２に示す記録媒体情報が取得され、ステップＳ１０２において、圧縮レートとして５（ＭＢ／秒）が取得された場合を例に説明する。
【０１０８】
まず、選択部１３４は、記録媒体１２１、１２２及び１２３のうち、記録可能容量が最大の記録媒体１２１を選択する（Ｓ５０１）。
【０１０９】
次に、算出部１３５は、ステップＳ１０２で取得された圧縮レート５（ＭＢ／秒）から、ステップＳ５０１で選択された記録媒体１２１の最大記録速度３（ＭＢ／秒）を引くことで、不足する記録速度２（ＭＢ／秒）を算出する（Ｓ５０２）。
【０１１０】
選択された記録媒体１２１のみの記録速度では、圧縮レート５（ＭＢ／秒）を満足しないので（Ｓ５０３でＮｏ）、算出部１３５は、選択された記録媒体１２１の記録速度を、記録媒体１２１の最大記録速度である３（ＭＢ／秒）とする（Ｓ５０４）。
【０１１１】
次に、選択部１３４は、選択された記録媒体１２１以外の記録媒体１２２及び１２３のうち、記録可能容量が最大の記録媒体１２２を選択する（Ｓ５０１）。
【０１１２】
次に、算出部１３５は、算出された不足する記録速度２（ＭＢ／秒）から、選択された記録媒体１２２の最大記録速度４（ＭＢ／秒）を引くことで、不足する記録速度を算出する（Ｓ５０２）。
【０１１３】
選択された記録媒体１２１及び１２２の記録速度の和は、圧縮レート５（ＭＢ／秒）を満足するので（Ｓ５０３でＹｅｓ）、算出部１３５は、選択された記録媒体１２２の記録速度を、不足する記録速度２（ＭＢ／秒）とする（Ｓ５０５）。
【０１１４】
次に、置き換え制御部１３８は、全ての記録媒体が選択されているか否かを判定する（Ｓ５０６）。
【０１１５】
全ての記録媒体が選択されていないので（Ｓ５０６でＮｏ）、記録時間算出部１３９は、各記録媒体の記録可能時間を算出する。記録時間算出部１３９は、記録媒体１２１の記録可能時間を、１６（ＧＢ）÷３（ＭＢ／秒）＝５４６１．３（秒）と算出し、記録媒体１２２の記録可能時間を、８（ＧＢ）÷２（ＭＢ／秒）＝４０９６（秒）と算出する。さらに、置き換え制御部１３８は、記録時間算出部１３９により算出された記録可能時間より、選択された記録媒体１２１及び１２２の記録可能時間のうち、最小の記録可能時間を記録媒体１２２の記録可能時間である４０９６（秒）とする（Ｓ５０７）。
【０１１６】
次に、置き換え制御部１３８は、最小の記録可能時間の記録媒体である記録媒体１２２の記録速度２（ＭＢ／秒）が、選択されていない記録媒体１２３の最大記録速度２．５（ＭＢ／秒）以下であるか否かを判定することにより、記録媒体１２２への記録を記録媒体１２３で置き換え可能であるか否かを判定する（Ｓ５０８）。
【０１１７】
記録媒体１２２の記録速度２（ＭＢ／秒）は、記録媒体１２３の最大記録速度２．５（ＭＢ／秒）以下なので、置き換え制御部１３８は、記録媒体１２２への記録を記録媒体１２３で置き換え可能であると判定し（Ｓ５０８でＹｅｓ）、置き換え制御部１３８は、記録媒体１２２の記録可能容量がなくなった場合に、引き続き記録媒体１２３に記録を行うために記録媒体１２３を選択する（Ｓ５０９）。
【０１１８】
記録部１３６は、置き換え制御部１３８の制御により、図３に示す映像記録中（Ｓ１０４）において、記録媒体１２２の記録可能容量がなくなった場合に、記録媒体１２１と記録媒体１２３とに並列に圧縮データの記録を行う。
【０１１９】
具体的には、上述した置き換え処理を行うことで、記録可能時間を２（ＧＢ）÷２（ＭＢ／秒）＝１０２４（秒）増加することができる。
【０１２０】
なお、ステップＳ５０６において、全ての記録媒体が選択されている場合には（Ｓ５０６でＹｅｓ）、映像記録装置３００は、置き換え処理を行わない。すなわち、映像記録装置３００は、上述した実施の形態１に係る映像記録装置１００と同様の処理を行う。
【０１２１】
また、Ｓ５０８において、置き換え制御部１３８により置き換えが不可であると判定された場合（Ｓ５０８でＮｏ）、映像記録装置３００は、置き換え処理を行わない。
【０１２２】
以上により、本発明の実施の形態３に係る映像記録装置３００は、最も記録可能時間が短い記録媒体１２２の記録可能容量がなくなった場合に、引き続き他の記録媒体１２３に記録を行う。よって、本発明の実施の形態３に係る映像記録装置３００は、複数の記録媒体の容量を効率的に使用することができる。これにより、本発明の実施の形態３に係る映像記録装置３００は、長時間の映像録画を行うことができる。
【０１２３】
なお、上記説明では、ステップＳ５０１〜Ｓ５０４において実施の形態１と同様の処理を行った後に、ステップＳ５０６〜Ｓ５０９の処理を行っているが、実施の形態２と同様の処理を行った後に、ステップＳ５０６〜Ｓ５０９の処理を行ってもよい。
【０１２４】
また、上記実施の形態１〜３の説明では、映像記録装置は、３つのＩ／Ｆ回路１１１、１１２及び１１３を備えているが、２つのＩ／Ｆ回路又は４以上のＩ／Ｆ回路を備えてもよい。
【産業上の利用可能性】
【０１２５】
本発明は、映像記録装置に適用でき、特に、デジタルビデオカメラ等に適用できる。
【図面の簡単な説明】
【０１２６】
【図１】本発明の実施の形態１に係る映像記録装置の構成を示すブロック図である。
【図２】本発明の実施の形態１に係る映像記録装置に記憶される記録媒体情報の一例を示す図である。
【図３】本発明の実施の形態１に係る映像記録装置の映像記録動作の流れを示すフローチャートである。
【図４】本発明の実施の形態１に係る映像記録装置の記録速度算出処理の流れを示すフローチャートである。
【図５】本発明の実施の形態２に係る映像記録装置の記録速度算出処理の流れを示すフローチャートである。
【図６】本発明の実施の形態２に係る映像記録装置の記録速度算出処理の変形例の流れを示すフローチャートである。
【図７】本発明の実施の形態３に係る映像記録装置の構成を示すブロック図である。
【図８】本発明の実施の形態３に係る映像記録装置の記録速度算出処理の流れを示すフローチャートである。
【符号の説明】
【０１２７】
１００、３００  映像記録装置
１０１  カメラ部
１０２  信号処理部
１０３、１０５  バッファ
１０４  圧縮回路
１０６  操作部
１０７  制御部
１０８  圧縮回路制御部
１１１、１１２、１１３  Ｉ／Ｆ回路
１２１、１２２、１２３  記録媒体
１３１  記録媒体情報取得部
１３２  記憶部
１３３  入力情報取得部
１３４  選択部
１３５  算出部
１３６  記録部
１３７  管理部
１３８  置き換え制御部
１３９  記録時間算出部
【図１】
2008294764.tif 000003
【図２】
2008294764.tif 000004
【図３】
2008294764.tif 000005
【図４】
2008294764.tif 000006
【図５】
2008294764.tif 000007
【図６】
2008294764.tif 000008
【図７】
2008294764.tif 000009
【図８】
2008294764.tif 000010